(57)【要約】【課題】洗浄ノズル先端の複雑な形状を不要とし、シンプルな洗浄ノズルとし、洗浄に適した噴出水を得るトイレ装置に関する。【解決手段】便器上に載置される本体５内に設けたシリンダパイプ６と、シリンダパイプ内に出没自在に設け、人体局部を洗浄する洗浄水を噴出する水噴出孔８を有する洗浄ノズル７と、洗浄ノズルの後方に独立してシリンダパイプ内に配置し、洗浄水を洗浄に適した旋回流にする螺旋形状ｂを内面に施したパイプ形状のスペーサ部材９を備えたトイレ装置である。スペーサ部材９内を洗浄水が流通することにより、洗浄水に旋回流が発生して洗浄ノズルの水噴出孔から洗浄に適した噴出水ａを得ることができるとともに、シンプルに洗浄ノズル７を形成できる。【選択図】  図１
2004293091.tif 000002
【特許請求の範囲】
【請求項１】
便器上に載置される本体内に設けたシリンダパイプと、前記シリンダパイプ内に出没自在に設け、人体局部を洗浄する洗浄水を噴出する水噴出孔を有する洗浄ノズルと、前記洗浄ノズルの後方に独立して前記シリンダパイプ内に配置し、流通する洗浄水を洗浄に適した流通形態にする通水性のスペーサ部材を備えてなるトイレ装置。
【請求項２】
スペーサ部材はパイプ形状に形成してなる請求項１記載のトイレ装置。
【請求項３】
スペーサ部材は内面に、流通する洗浄水を洗浄に適した流通形態にする螺旋形状または複数の凸形状を施してなる請求項１または２記載のトイレ装置。
【請求項４】
スペーサ部材は外周面に、流通する洗浄水を洗浄に適した流通形態にする螺旋形状または複数の凸形状を施してなる請求項１から３のいずれかに記載のトイレ装置。
【請求項５】
スペーサ部材またはシリンダパイプの少なくともいずれか一方に、接触抵抗を軽減する加工を施してなる請求項１から４のいずれかに記載のトイレ装置。
【請求項６】
スペーサ部材は比重を１．０未満としてなる請求項１から５のいずれかに記載のトイレ装置。
【請求項７】
請求項１から請求項６のいずれかに記載のトイレ装置における本体を便器上に設置してなるトイレ装置。
【発明の詳細な説明】
【０００１】
【発明の属する技術分野】
本発明は、人体局部を洗浄するトイレ装置に関するものである。
【０００２】
【従来の技術】
従来、この種のトイレ装置は、用便後の人体局部に洗浄水を噴射する大半の洗浄ノズルにおいて、洗浄ノズル先端を別部品としており、また少数ではあるが、洗浄ノズル先端をシンプルにしたものもある（例えば、特許文献１参照）。図８は大半を占める従来のトイレ装置における洗浄ノズルの縦断面図で、図９は前記特許文献ｌに記載された従来のトイレ装置における洗浄ノズルの斜視図を示すものである。
【０００３】
図８において、便器上の本体１ａから、流通する洗浄水の水圧力で突出する洗浄ノズル１はその先端を別部品２とし、人体局部の洗浄に適した噴出水３を水噴出孔２ａより得ている。図９において、洗浄ノズル４はその先端をシンプルな形としたものである。
【０００４】
しかしながら、前記従来の構成では、洗浄に適した流通形態である任意の噴出水３を得るために、洗浄ノズル１の先端を別部品２とし、この別部品を複層化、すなわち複雑な形状にする必要があり、また、洗浄ノズル４の先端をシンプルな形にすると、ごく一般的な噴出水となり、洗浄に適した噴出水が得られないという問題点を有していた。
【０００５】
【特許文献１】
特開２００１−３４８９４０号公報（第３図）
【０００６】
【発明が解決しようとする課題】
前記従来の技術の問題点に鑑み、本発明が解決しようとする課題は、シンプルな形状にして、洗浄に適した噴出水が得られる洗浄ノズルを有するトイレ装置の提供を目的とする。
【０００７】
【課題を解決するための手段】
前記従来の課題を解決するために、本発明のトイレ装置は便器上に載置される本体内に設けたシリンダパイプと、前記シリンダパイプ内に出没自在に設け、人体局部を洗浄する洗浄水を噴出する水噴出孔を有する洗浄ノズルと、前記洗浄ノズルの後方に独立して前記シリンダパイプ内に配置し、流通する洗浄水を洗浄に適した流通形態にする通水性のスペーサ部材を備えたものである。これによって、洗浄ノズルの複雑な形状をなくし、洗浄に適した流通形態の洗浄水が得られ、かつシンプルな洗浄ノズルを形成できるものである。
【０００８】
【発明の実施の形態】
前記した本発明の目的は、各請求項に記載した構成を実施の形態とすることにより達成できるので、以下には各請求項の構成に、その構成による作用効果を併記し併せて請求項記載の構成のうち説明を必要とする特定用語については詳細な説明を加えて本発明の実施の形態とする。
【０００９】
請求項１記載に係る発明は、便器上に載置される本体内に設けたシリンダパイプと、前記シリンダパイプ内に出没自在に設け、人体局部を洗浄する洗浄水を噴出する水噴出孔を有する洗浄ノズルと、前記洗浄ノズルの後方に独立して前記シリンダパイプ内に配置し、洗浄水を洗浄に適した流通形態にする通水性のスペーサ部材を備えたトイレ装置である。
【００１０】
上記実施の形態によれば、洗浄ノズルとは独立して洗浄水を洗浄に適した流通形態にする通水性のスペーサ部材により、スペーサ部材を流通する洗浄水を洗浄に適した流通形態、例えば旋回流、または渦流等にすることが可能になり、洗浄ノズル内に流通する洗浄水を任意の流通形態にできて洗浄ノズルの水噴出孔から任意の流通形態の洗浄水が噴出することになり、洗浄ノズルの水噴出孔のある部分をシンプルにして衛生的にできるとともに、洗浄に適した噴出水を得ることができる。
【００１１】
請求項２記載に係る発明は、請求項１に記載のスペーサ部材をパイプ形状にしたトイレ装置で、このスペーサ部材の内側を確実に洗浄水が流通して洗浄ノズル内に確実に任意の形態の水流を生じさせ、洗浄ノズルの水噴出孔から任意の形態の洗浄水が噴出することになり、洗浄に適した噴出水を得られる。
【００１２】
請求項３記載に係る発明は、請求項１または２に記載のスペーサ部材の内面に、流通する洗浄水を洗浄に適した流通形態にする螺旋形状または複数の凸形状を施したトイレ装置で、スペーサ部材内を流通する洗浄水に旋回流または渦流を発生させ、洗浄ノズルの水噴出孔から旋回流または渦流となって洗浄水が噴出することになり、洗浄に適した噴出水を得られる。
【００１３】
請求項４記載に係る発明は、請求項１から３のいずれかにあって、スペーサ部材は外周面に、流通する洗浄水を洗浄に適した流通形態にする螺旋形状または複数の凸形状を施したトイレ装置で、シリンダパイプとスペーサ部材の間を流通する洗浄水に旋回流または渦流を発生させ、洗浄ノズルの水噴出孔から旋回流または渦流となって洗浄水が噴出することになり、洗浄に適した噴出水を得られる。
【００１４】
請求項５記載に係る発明は、請求項１から４のいずれかにあって、スペーサ部材とシリンダパイプの少なくともいずれか一方に、接触抵抗を軽減する加工を施したトイレ装置で、流通する洗浄水を洗浄に適した流通形態にするスペーサ部材はシリンダパイプに対し動きがスムーズになり、例えば洗浄ノズルはスペーサ部材に邪魔されることなくシリンダパイプ内へ後退することが可能になる。
【００１５】
請求項６記載に係る発明は、請求項１〜５のいずれかに記載のスペーサ部材の比重を１．０未満としたもので、水よりも軽くなり、洗浄水に洗浄に適した流通形態にするスペーサ部材の動きを増すことができる。
【００１６】
請求項７記載に係る発明は、請求項１から６のいずれかに記載のトイレ装置における本体を便器上に設置してなるトイレ装置で、洗浄水を洗浄に適した流通形態にする洗浄ノズルは、水噴出孔のある先端部をシンプルにすることが可能になり、汚物等の付着し難い、かつ掃除のし易い衛生的な装置にできる。
【００１７】
【実施例】
以下、本発明の実施例について、図面を参照しながら説明する。
【００１８】
（実施例１）
図１（ａ）は、本発明の実施例１におけるトイレ装置の洗浄ノズル及びスペーサ部材を示す縦断面図で、図１（ｂ）は同じくトイレ装置の洗浄ノズル及びスペーサ部材の動作状態を示す縦断面図で、図２は同じくトイレ装置の洗浄ノズル及びスペーサ部材の分解斜視図で、図３はトイレ装置の外観斜視図である。
【００１９】
図１、図２、図３において、洗浄ノズル７は、シリンダパイプ６の中に出没自在に納められ、便器（図示せず）上に設置される本体５内で暖められた洗浄水が、洗浄ノズル７へ通水され、その受圧力により外周に巻いてあるコイル状のバネ等の付勢手段１０に抗して洗浄ノズル７がシリンダパイプ６より突出して前方外部へ駆動する。そして、洗浄ノズル７は、人体局部に洗浄水ａを噴出して洗う水噴出孔８を含む全体形状は有底筒状の直線パイプのシンプルな形状に形成し、後端部に受圧鍔７ａを有する。
【００２０】
スペーサ部材９は、比重が１．０未満の材料でパイプ形状に形成して洗浄水が内部を流通する通水性の機能を有し、洗浄ノズル７の後方に独立してシリンダパイプ６内に洗浄水力を受けて摺動可能に配置され、かつ流通する洗浄水を洗浄に適した流通形態にするように構成されている。すなわち、スペーサ部材９は流通する洗浄水を洗浄に適した流通形態にする構成として、例えば内面に螺旋形状ｂを施して流通する洗浄水に旋回流を発生させるものである。
【００２１】
付勢手段１０は洗浄ノズル７の洗浄作用が終了した時点、すなわち通水が止まり洗浄ノズル７に受圧力が作用しなくなれば再びシリンダパイプ６内に洗浄ノズル７を納めるのと、スペーサ部材９をシリンダパイプ６内の後方に押し戻す役目をしている。１１はシリンダパイプ６に接続し、洗浄水である温水を案内するホースであり、１２は洗浄ノズル７と同機能を持つ、図３に示す女性の局部を専用に洗う洗浄ノズルである。図中、１３は便器上に載る便座で、１４は便座蓋で、これらは本体５に後端部を回転可能に軸支されている。
【００２２】
以上のように構成されたトイレ装置において、ホース１１を通じて洗浄水がシリンダパイプ６内に流れ込み、この洗浄水力を受けてスペーサ部材９は図１（ｂ）に示すように、パイプ形状の内部を流通する洗浄水を、内面の螺旋形状ｂが案内して旋回流ｘを発生させる。そして、洗浄水の旋回流によりスペーサ部材９自身もシリンダパイプ６との摩擦抵抗力に応じた回転（僅かな回転）をしながらシリンダパイプ６内を摺動して下方向へ進み、洗浄ノズル７の受圧鍔７ａと一定間隔のスペース（洗浄水の層）をおいて停止し、この旋回水流ｘを洗浄ノズル７内に通水する。そして、付勢手段１０に抗して突出した洗浄ノズル７の水噴出孔８から旋回水流の噴出水ａが人体局部に向かって放出される。
【００２３】
以上のように本実施例では、通水性のスペーサ部材９を洗浄ノズル７の後方において独立させ、かつ洗浄水を洗浄に適した流通形態にする構成にしているので、スペーサ部材を流通する洗浄水に洗浄に適した流通形態を発生させ、洗浄ノズル内に流通する洗浄水を任意の流通形態にできて洗浄ノズルの水噴出孔から洗浄に適した洗浄水を噴出することができる。従って、洗浄ノズル７の先端部に複雑な形状を施すことなく、洗浄ノズル７は水噴出孔８のある部分を含む全体をシンプルにして、例えば１本のパイプにて形成し、汚物等が附着し難い、かつ掃除のし易い衛生的なものにできるとともに、洗浄に適した噴出水を得ることができる。
【００２４】
また本実施例では、スペーサ部材９をパイプ形状にしたので、このスペーサ部材内を確実に洗浄水が流通して洗浄ノズル内に確実に任意の形態の流水を生じさせ、洗浄ノズルの水噴出孔から任意の形態の洗浄水を確実に噴出させることができるとともに、シンプルな洗浄ノズルを作りやすくできる。
【００２５】
さらに本実施例では、洗浄水を洗浄に適した流通形態にする構成として、スペーサ部材９の内面に螺旋形状ｂを施したので、スペーサ部材内を流通する洗浄水に旋回流を発生させ、洗浄ノズルの水噴出孔から旋回した洗浄水を噴出させることができ、洗浄ノズル７の先端部に複雑な形状を施すことなく、洗浄に適した旋回の噴出水ａを得ることができる。
【００２６】
さらにまた、本実施例ではスペーサ部材９を比重１．０未満の材料で形成しているので、水よりも軽くなり、洗浄水を洗浄に適した流通形態にするスペーサ部材９の摺動を増すことができる。
【００２７】
なお、本実施例でスペーサ部材は、その内面に螺旋形状ｂを施して、流通する洗浄水を洗浄に適した流通形態にする構成としているが、スペーサ部材の外形を小さくして、洗浄水としての一定量がシリンダパイプとスペーサ部材の間を流れるようにシリンダパイプとスペーサ部材の間隔を保ち、そしてスペーサ部材の外面に螺旋形状を施した構成にしても、本実施例と同等の作用効果を期待できるものである。さらに、本発明の目的を達成する範囲であれば、スペーサ部材の内面及び外面の両方に螺旋形状を施しても良いことは当然である。
【００２８】
（実施例２）
図４は、本発明の実施例２におけるトイレ装置の洗浄ノズル及びスペーサ部材の縦断面図を示すものである。本実施例は、内部を流通する洗浄水に渦流を発生させる構成にした点で実施例１の発明と異なり、それ以外の同一構成並びに作用効果を奏する部分には同一符号を付して詳細な説明を省略し、異なる所を中心に説明する。
【００２９】
スペーサ部材９は、パイプ形状の内面に多数の凸形状ｃを施して、パイプ形状内を流通する洗浄水に渦流を発生させる構成にしたものである。
【００３０】
以上のように構成されたトイレ装置において、ホース１１を通じて洗浄水がシリンダパイプ６内に流れ込み、この洗浄水力を受けてスペーサ部材９は図４に示すように、パイプ形状の内部を流通する洗浄水を、内面の多数の凸形状が案内して渦水流Ｙを発生させる。そして、洗浄水の渦流によりスペーサ部材９自身もシリンダパイプ６との摩擦抵抗力に応じてシリンダパイプ６内を摺動して（渦流の反動を受けて左右方向に揺れながら、つまり僅かに揺動しながら）下方向へ進み、洗浄ノズル７の受圧鍔７ａと一定間隔のスペース（洗浄水の層）をおいて停止し、、この渦水流ｙを洗浄ノズル７内に通水する。そして、付勢手段１０に抗して突出した洗浄ノズル７の水噴出孔８から渦水流の噴出水ａが人体局部に向かって放出される。
【００３１】
以上のように本実施例では、洗浄水を洗浄に適した流通形態にする構成として、スペーサ部材９の内面に複数の凸形状ｃを施したので、スペーサ部材内を流通する洗浄水に渦流を発生させ、洗浄ノズルの水噴出孔から渦流の洗浄水を噴出させることができ、洗浄ノズル７の先端部に複雑な形状を施すことなく、洗浄に適した渦流の噴出水ａを得ることができる。
【００３２】
なお、本実施例でスペーサ部材は、その内面に凸形状ｃを施して、流通する洗浄水を洗浄に適した流通形態にする構成としているが、図７に示すようにスペーサ部材９の外形を小さくして、洗浄水としての一定量がシリンダパイプ６とスペーサ部材９の間を流れるようにシリンダパイプとスペーサ部材の間隔を保ち、そしてスペーサ部材の外面に凸形状ｃを施した構成にしても、本実施例と同等の作用効果を期待できるものである。さらに、本発明の目的を達成する範囲であれば、スペーサ部材の内面及び外面の両方に凸形状を施しても良いことは当然である。
【００３３】
（実施例３）
図５は、本発明の実施例３におけるトイレ装置の洗浄ノズル及びスペーサ部材の縦断面図を示すものである。本実施例は、スペーサ部材がシリンダパイプ内を摺動する際の接触抵抗を軽減する加工を施した構成にしたもので、実施例１及び２の発明と同一構成並びに作用効果を奏する部分には同一符号を付して詳細な説明を省略し、異なるところを中心に説明する。
【００３４】
実施例１または２のスペーサ部材９は、シリンダパイプ６内に外周面を接して上下に摺動可能に収納され、かつ外周面に螺旋形状ｄを施してシリンダパイプ６との接触抵抗を軽減させてスペーサ部材９の上下動を円滑にするものである。従って、シリンダパイプ６とスペーサ部材９の間を流通する洗浄水に積極的に旋回流を発生させる構成にしたものではない。
【００３５】
以上のように構成されたトイレ装置において、スペーサ部材９内を流通する洗浄水には、実施例１で説明した通り、または、実施例２で説明した通りの洗浄水がそれぞれ流れ、洗浄ノズル７の水噴出孔８から旋回水流または渦水流の噴出水ａが人体局部に向かって放出される。
【００３６】
一方、スペーサ部材９の外周面の螺旋形状ｄに案内されて洗浄水が、シリンダパイプ６とスペーサ部材９の間にも流れてスペーサ部材９の動きが円滑になり、そしてシリンダパイプ６とスペーサ部材９の間を通過した洗浄水は、スペーサ部材９内を流通する旋回水流と混じり合うのである。
【００３７】
従って、スペーサ部材９の上下動を円滑にさせることができ、洗浄作用が終わって洗浄水力を受けなくなった洗浄ノズル７が付勢手段１０に押されてシリンダパイプ６内に後退する際でも、洗浄ノズル７に押されたスペーサ部材９は円滑に動いてシリンダパイプ６の後方に戻り、洗浄ノズル７の後退動作に支障を与えることなくできるとともに、洗浄水の力がスペーサ部材９を摺動さすために余り失われずに、スペーサ部材９との共同で、流通する洗浄水に洗浄に適した流通形態にする作用に効率よく働かせることができる。もちろん、洗浄水をポンプで加圧して送っている形態のときは、力の小さいポンプの使用も可能になる。
【００３８】
なお、本実施例ではスペーサ部材の外面に、接触抵抗を軽減する加工として螺旋形状ｄを施したものであるが、シリンダパイプの内面または両方に接触抵抗を軽減する加工を施しても良いことは当然であり、また螺旋形状ｄにとどまらず、シリンダパイプ内面にその長手方向に沿って長溝、これに嵌る凸条をスペーサ部材の外面に、または前記とは逆に長溝と凸条を設ける構成にしても良いものである。
【００３９】
（実施例４）
図６は、本発明の実施例４におけるトイレ装置の洗浄ノズル及びスペーサ部材の縦断面図を示すものである。本実施例も、スペーサ部材がシリンダパイプ内を摺動する際の接触抵抗を軽減する加工を施した構成にしたもので、実施例１及び２の発明と同一構成並びに作用効果を奏する部分には同一符号を付して詳細な説明を省略し、異なるところを中心に説明する。
【００４０】
実施例１及び２のスペーサ部材９は、シリンダパイプ６内に外周面を接して上下に摺動可能に収納され、、かつ外周面に多数の凸形状ｅを施し、シリンダパイプ６との接触抵抗を軽減させてスペーサ部材９の上下動を円滑にするものである。従って、シリンダパイプ６とスペーサ部材９の間を流通する洗浄水に積極的に渦流を発生させる構成にしたものではない。
【００４１】
以上のように構成されたトイレ装置において、スペーサ部材９内を流通する洗浄水には、実施例１で説明した通り、または、実施例２で説明した通りの洗浄水がそれぞれ流れ、洗浄ノズル７の水噴出孔８から旋回水流または渦水流の噴出水ａが人体局部に向かって放出される。
【００４２】
一方、スペーサ部材９の外周面の凸形状ｅに案内されて洗浄水は、シリンダパイプ６とスペーサ部材９の間にも流れてスペーサ部材９の動きが円滑になり、そしてシリンダパイプ６とスペーサ部材９の間を通過した洗浄水は、スペーサ部材９内を流通する旋回水流と混じり合うのである。
【００４３】
従って、スペーサ部材９の上下動を円滑にさせることができ、洗浄作用が終わって洗浄水力を受けなくなった洗浄ノズル７が付勢手段１０に押されてシリンダパイプ６内に後退する際でも、洗浄ノズル７に押されたスペーサ部材９は円滑に動いてシリンダパイプ６の後方に戻り、洗浄ノズル７の動きに支障を与えることなくできるとともに、洗浄水の力がスペーサ部材９を摺動さすために余り失われずに、スペーサ部材９との共同で、流通する洗浄水に洗浄に適した流通形態にする作用に効率よく働かせることができる。もちろん、洗浄水をポンプで加圧して送っている形態のときは、力の小さいポンプの使用も可能になる。
【００４４】
なお、本実施例ではスペーサ部材の外面に、接触抵抗を軽減する加工として凸形状ｅを施したものであるが、シリンダパイプの内面または両方に接触抵抗を軽減する加工を施しても良いことは当然であり、また凸形状ｅにとどまらず、シリンダパイプ内面にその長手方向に沿って長溝、これに嵌る凸条をスペーサ部材の外面に、または前記とは逆に長溝と凸条を設ける構成にしても良いものである。
【００４５】
【発明の効果】
以上のように本発明のトイレ装置によれば、シンプルな洗浄ノズルを形成できるとともに、洗浄に適した噴出水を得ることができる。
【図面の簡単な説明】
【図１】（ａ）本発明の実施例１におけるトイレ装置の縦断面図
（ｂ）同トイレ装置の洗浄状態時における縦断面図
【図２】同実施例１におけるトイレ装置の洗浄ノズル及びスペーサ部材の分解斜視図
【図３】同実施例１におけるトイレ装置の外観斜視図
【図４】本発明の実施例２におけるトイレ装置の洗浄ノズル及びスペーサ部材の縦断面図
【図５】本発明の実施例３におけるトイレ装置の洗浄ノズル及びスペーサ部材の縦断面図
【図６】本発明の実施例４におけるトイレ装置の洗浄ノズル及びスペーサ部材の縦断面図
【図７】同実施例２におけるトイレ装置の洗浄ノズル及びスペーサ部材の変形例の縦断面図
【図８】従来のトイレ装置における洗浄ノズル部分の縦断面図
【図９】従来の他のトイレ装置における洗浄ノズルの斜視図
【符号の説明】
５  本体
６  シリンダパイプ
７、１２  洗浄ノズル
８  水噴出孔
９  スペーサ部材
ｂ、ｄ  螺旋形状
ｃ、ｅ  凸形状
【図１】
2004293091.tif 000003
【図２】
2004293091.tif 000004
【図３】
2004293091.tif 000005
【図４】
2004293091.tif 000006
【図５】
2004293091.tif 000007
【図６】
2004293091.tif 000008
【図７】
2004293091.tif 000009
【図８】
2004293091.tif 000010
【図９】
2004293091.tif 000011